【手続補正書】
【提出日】令和3年6月25日(2021.6.25)
【手続補正１】
【補正対象書類名】特許請求の範囲
【補正対象項目名】全文
【補正方法】変更
【補正の内容】
【特許請求の範囲】
【請求項１】
患者がいる医療機関にある少なくとも一つの第１のコンピュータと、前記医療機関とは物理的に離れた位置にある少なくとも一つの第２のコンピュータとが通信ネットワークを介して接続された遠隔医療支援システムであって、
前記患者の状態を監視するために当該患者の生体情報を測定する少なくとも一つのセンサを備え、
前記少なくとも一つの第１のコンピュータは、
前記少なくとも一つのセンサの測定データを受信するデータ受信部と、
受信した測定データに基づいて、前記患者に医療的な対応をすることが必要であるかどうかを判断し、必要であると判断した場合は、前記少なくとも一つの第２のコンピュータにアラートを通知すると共に、前記アラートと一緒に又は前記アラートの通知後に、当該受信した測定データを前記少なくとも一つの第２のコンピュータに送信する一方、必要であると判断しなかった場合は、前記少なくとも一つの第２のコンピュータにアラートを通知しないようにコントロールする通知コントロール部と、
を備えた、遠隔医療支援システム。
【請求項２】
前記通知コントロール部は、前記少なくとも一つの第２のコンピュータが前記アラートを受信したことに応答して、当該受信した測定データを前記少なくとも一つの第２のコンピュータに送信する、請求項１に記載の遠隔医療支援システム。
【請求項３】
前記少なくとも一つのセンサの測定データを表示する生体情報モニタをさらに備えており、
前記通知コントロール部は、前記アラートを通知する場合、前記生体情報モニタの画面が前記少なくとも一つの第２のコンピュータと共有されるように、前記生体情報モニタの画面を前記少なくとも一つの第２のコンピュータに送信する、請求項１又は２に記載の遠隔医療支援システム。
【請求項４】
前記少なくとも一つの第２のコンピュータは、
遠隔医療支援機関に所属する医師用の端末と、
前記遠隔医療支援機関に所属する看護師用の端末と、の少なくとも一方を含む、請求項１から３のいずれか一項に記載の遠隔医療支援システム。
【請求項５】
前記通知コントロール部は、前記受信した測定データに基づいて、前記アラートの通知の仕方を二段階に分ける、請求項４に記載の遠隔医療支援システム。
【請求項６】
前記通信ネットワークを介して前記少なくとも一つの第１のコンピュータ及び前記少なくとも一つの第２のコンピュータと接続され、前記患者に係る電子カルテが登録されるサーバをさらに備え、
前記電子カルテは、前記少なくとも一つの第２のコンピュータからの入力により作成されると共に、前記少なくとも一つの第１のコンピュータからのアクセスにより当該少なくとも一つの第１のコンピュータにおいて閲覧可能に構成されている、請求項１ないし５のいずれか一項に記載の遠隔医療支援システム。
【請求項７】
前記電子カルテは、前記少なくとも一つの第２のコンピュータからのデータ書込みが可能な複数の項目を有しており、
前記複数の項目には、前記少なくとも一つの前記第１のコンピュータからのデータ書込みを禁止した項目が含まれている、請求項６に記載の遠隔医療支援システム。
【請求項８】
前記少なくとも一つの第１のコンピュータは、前記少なくとも一つの第２のコンピュータが前記アラートを受信したことに応答して、前記少なくとも一つの第２のコンピュータとの間でビデオ通話が確立されるように構成される、請求項１から７のいずれか一項に記載の遠隔医療支援システム。
【請求項９】
患者がいる医療機関に設けられた医療機関コンピュータであって、
前記患者の状態を監視するために当該患者の生体情報を測定する少なくとも一つのセンサからの測定データを受信するデータ受信部と、
受信した測定データに基づいて、前記患者に医療的な対応をすることが必要であるかどうかを判断し、必要であると判断した場合は、前記医療機関とは物理的に離れた位置にあって前記医療機関コンピュータと通信ネットワークを介して接続された少なくとも一つの第２のコンピュータにアラートを通知すると共に、前記アラートと一緒に又は前記アラートの通知後に、当該受信した測定データを前記少なくとも一つの第２のコンピュータに送信する一方、必要であると判断しなかった場合は、前記少なくとも一つの第２のコンピュータにアラートを通知しないようにコントロールする通知コントロール部と、
を備えた、医療機関コンピュータ。
【請求項１０】
前記通知コントロール部は、前記少なくとも一つの第２のコンピュータが前記アラートを受信したことに応答して、当該受信した測定データを前記少なくとも一つの第２のコンピュータに送信する、請求項９に記載の医療機関コンピュータ。
【請求項１１】
前記通知コントロール部は、前記アラートを通知する場合、前記少なくとも一つのセンサの測定データを表示する生体情報モニタの画面が前記少なくとも一つの第２のコンピュータと共有されるように、前記生体情報モニタの画面を前記少なくとも一つの第２のコンピュータに送信する、請求項９又は１０に記載の医療機関コンピュータ。
【請求項１２】
患者がいる医療機関に設けられた医療機関コンピュータによって実行される方法であって、
前記患者の状態を監視するために当該患者の生体情報を測定する少なくとも一つのセンサからの測定データを受信するステップと、
受信した測定データに基づいて、前記患者に医療的な対応をすることが必要であるかどうかを判断し、必要であると判断した場合は、前記医療機関とは物理的に離れた位置にあって前記医療機関コンピュータと通信ネットワークを介して接続された少なくとも一つの第２のコンピュータにアラートを通知すると共に、前記アラートと一緒に又は前記アラートの通知後に、当該受信した測定データを前記少なくとも一つの第２のコンピュータに送信する一方、必要であると判断しなかった場合は、前記少なくとも一つの第２のコンピュータにアラートを通知しないようにコントロールするステップと、
を含む、医療機関コンピュータによって実行される方法。
【請求項１３】
前記少なくとも一つの第２のコンピュータが前記アラートを受信したことに応答して、当該受信した測定データを前記少なくとも一つの第２のコンピュータに送信するステップ
をさらに含む、請求項１２に記載の医療機関コンピュータによって実行される方法。
【請求項１４】
前記アラートを通知する場合、前記少なくとも一つのセンサの測定データを表示する生体情報モニタの画面が前記少なくとも一つの第２のコンピュータと共有されるように、前記生体情報モニタの画面を前記少なくとも一つの第２のコンピュータに送信する、請求項１２又は１３に記載の医療機関コンピュータによって実行される方法。
【請求項１５】
患者がいる医療機関に設けられた医療機関コンピュータに、
前記患者の状態を監視するために当該患者の生体情報を測定する少なくとも一つのセンサからの測定データを受信することと、
受信した測定データに基づいて、前記患者に医療的な対応をすることが必要であるかどうかを判断し、必要であると判断した場合は、前記医療機関とは物理的に離れた位置にあって前記医療機関コンピュータと通信ネットワークを介して接続された少なくとも一つの第２のコンピュータにアラートを通知すると共に、前記アラートと一緒に又は前記アラートの通知後に、当該受信した測定データを前記少なくとも一つの第２のコンピュータに送信する一方、必要であると判断しなかった場合は、前記少なくとも一つの第２のコンピュータにアラートを通知しないようにコントロールすることと、
を実行させる、プログラム。
【請求項１６】
前記少なくとも一つの第２のコンピュータが前記アラートを受信したことに応答して、当該受信した測定データを前記少なくとも一つの第２のコンピュータに送信すること
をさらに前記医療機関コンピュータに実行させる、請求項１５に記載のプログラム。
【請求項１７】
前記アラートを通知する場合、前記少なくとも一つのセンサの測定データを表示する生体情報モニタの画面が前記少なくとも一つの第２のコンピュータと共有されるように、前記生体情報モニタの画面を前記少なくとも一つの第２のコンピュータに送信すること
をさらに前記医療機関コンピュータに実行させる、請求項１６に記載のプログラム。
【請求項１８】
患者がいる医療機関とは物理的に離れた位置に設けられた支援機関コンピュータであって、
前記医療機関に設けられ且つ通信ネットワークを介して接続された少なくとも一つの第１のコンピュータとビデオ通話可能な表示部と、
前記少なくとも一つの第１のコンピュータから通知されるアラートを受信する受信部と、を備え、
前記アラートは、前記少なくとも一つの第１のコンピュータが、前記患者の状態を監視するために当該患者の生体情報を測定する少なくとも一つのセンサからの測定データに基づいて、当該患者に医療的な対応をすることが必要であるかどうかを判断し、必要であると判断した場合には通知される一方、必要であると判断しなかった場合は通知されず、
前記受信部は、前記アラートと一緒に又は前記アラートの受信後に、前記少なくとも一つの第１のコンピュータから前記測定データを受信し、
前記表示部は、受信した測定データを表示可能に構成されている、支援機関コンピュータ。
【請求項１９】
前記少なくとも一つの第１のコンピュータには、前記少なくとも一つのセンサの測定データを表示する生体情報モニタが接続されており、
前記受信部は、前記少なくとも一つの第１のコンピュータから前記生体情報モニタの画面を受信し、
前記表示部は、受信した生体情報モニタの画面を表示可能に構成されている、請求項１８に記載の支援機関コンピュータ。
【請求項２０】
患者がいる医療機関とは物理的に離れた位置に設けられた支援機関コンピュータに、
前記医療機関に設けられ且つ通信ネットワークを介して接続された少なくとも一つの第１のコンピュータとビデオ通話することと、
少なくとも一つの第１のコンピュータから通知されるアラートを受信することと、
前記アラートと一緒に又は前記アラートの受信後に、前記患者の状態を監視するために当該患者の生体情報を測定する少なくとも一つのセンサからの測定データを前記少なくとも一つの第１のコンピュータから受信することと、
受信した測定データを表示することと、
を実行させるプログラムであって、
前記アラートは、前記少なくとも一つの第１のコンピュータが、前記測定データに基づいて、当該患者に医療的な対応をすることが必要であるかどうかを判断し、必要であると判断した場合には通知される一方、必要であると判断しなかった場合は通知されない、プログラム。